(57)【要約】【課題】スタンバイ時などの待機動作中に、視聴者の嗜好情報に適合した番組情報を報知する。【解決手段】表示時間記憶部１９に登録されたタイマーがセットされると、ＣＰＵ１６は電源制御部１３からテレビジョン受信装置１の電源状態を判別する。処理ブロック４に電力が供給され処理ブロック５には電力が供給されていないスタンバイ状態であるときに、ＣＰＵ１６は以下の処理を実行する。ＣＰＵ１６は、番組情報記憶部１７に記憶された複数の番組情報から嗜好情報記憶部１８に記憶された嗜好情報に適合する番組情報を検索して、サブディスプレイ３に検索された番組情報を表示する制御を行う。【選択図】図２
2007053518.tif 000002
【特許請求の範囲】
【請求項１】
複数の番組情報を取得する番組情報取得手段と、
上記複数の番組情報を記憶する番組情報記憶手段と、
視聴者の番組選択情報を記憶する番組選択情報記憶手段と、
上記番組選択情報に適合する番組情報を検索する検索手段と、
待機動作中に、上記検索手段により検索された番組情報に基づく情報を報知する報知手段と
を備える受信装置。
【請求項２】
さらに、上記報知手段は、上記検索された番組情報に対応し、且つ放送前または放送中の番組の情報を報知する請求項１に記載の受信装置。
【請求項３】
上記報知手段としての表示部が、番組を表示する表示部と別個に設けられる請求項１に記載の受信装置。
【請求項４】
上記報知手段が、点灯手段である請求項１に記載の受信装置。
【請求項５】
上記報知手段が、音声発生手段である請求項１に記載の受信装置。
【請求項６】
複数の番組情報を取得する番組情報取得ステップと、
上記複数の番組情報を記憶する番組情報記憶ステップと、
視聴者の番組選択情報を記憶する番組選択情報記憶ステップと、
上記番組選択情報に適合する番組情報を検索する検索ステップと、
待機動作中に、上記検索ステップにおいて検索された番組情報に基づく情報を報知する報知ステップと
からなる番組情報報知方法。
【請求項７】
コンピュータに、
複数の番組情報を取得する番組情報取得ステップと、
上記複数の番組情報を記憶する番組情報記憶ステップと、
視聴者の番組選択情報を記憶する番組選択情報記憶ステップと、
上記番組選択情報に適合する番組情報を検索する検索ステップと、
待機動作中に、上記検索ステップにおいて検索された番組情報に基づく情報を報知する報知ステップと
を実行させるプログラム。
【請求項８】
受信装置を遠隔操作する遠隔操作装置であって、
受信装置と通信を行う通信手段と、
上記通信手段により受信した情報を表示する表示手段とを備え、
上記通信手段を使用して、受信装置から送信される番組選択情報に適合する番組情報を取得し、受信装置が待機動作中であるときに取得された上記番組情報に基づく情報を上記表示手段に表示する遠隔操作装置。
【請求項９】
さらに、上記表示手段に表示される番組情報を選択する操作手段を備え、
上記操作手段により選択された番組情報を上記通信手段を使用して受信装置に送信する請求項８に記載の遠隔操作装置。
【発明の詳細な説明】
【技術分野】
【０００１】
この発明は、受信装置、番組情報報知方法およびプログラム並びに遠隔操作装置に関し、例えば受信装置がスタンバイ状態であるときに視聴者の嗜好情報に適合する番組情報を表示する受信装置、番組情報報知方法およびプログラム並びに遠隔操作装置に関する。
【背景技術】
【０００２】
視聴者は視聴したい番組を見つけるために、新聞の番組情報欄やインターネットによって配信される番組情報欄、放送波に重畳されて送られる電子番組表（ＥＰＧ(Electric Program Guide)と称される）を使用して視聴したい番組を探す。また、多くの番組情報から視聴したい番組の番組情報を探することは大変であることから、例えばジャンルやキーワードを設定し、同じジャンルの番組や設定されたキーワードを含む番組の番組情報をＥＰＧから検索して視聴者に表示することも行われている。
【０００３】
また、テレビジョン受信装置に対して遠隔操作を行うリモートコントロール装置として携帯電話を使用し、携帯電話にＥＰＧを表示することも行われている。
【０００４】
下記特許文献１には、携帯電話の待ち受けモード時に受信している番組の概略を表示する発明が記載されている。
【０００５】
【特許文献１】特開２００５−７９９２０号公報
【発明の開示】
【発明が解決しようとする課題】
【０００６】
しかしながら上述した方法によって番組情報を取得するためには、例えば新聞の番組情報欄を開く、インターネットと接続するためにパーソナルコンピュータを起動させる、ＥＰＧを取得し表示するためにテレビジョン受信装置をオンする等の操作をしなければならない。これらの一連の操作を経て自分の視聴したい番組の番組情報を得ることができる。従って何も操作をしなければ番組情報を得ることができないため、テレビジョン受信装置の電源をオンせず、結果として自身の嗜好情報に適合する番組を見逃してしまうおそれがあった。
【０００７】
また、携帯電話の小型の画面に表示されるＥＰＧを使用して所望の番組情報を探すことは、小型の画面に表示される文字の大きさ等を考慮すると容易なことではない。従って、画面には多くの番組の番組情報が表示されるよりも視聴者の嗜好に適合する番組の番組情報が表示されることが望ましい。
【０００８】
したがって、この発明の目的は、例えばスタンバイ時などの視聴者がテレビジョン放送番組を視聴していない時に、視聴者の嗜好情報に適合する番組情報を報知する受信装置、番組情報報知方法およびプログラム並びに遠隔操作装置を提供することである。
【０００９】
また、この発明は、受信装置を遠隔操作する遠隔操作装置に視聴者の嗜好情報に適合する番組情報に基づく情報を表示することを目的とする。
【課題を解決するための手段】
【００１０】
上述した課題を解決するために、この発明は、複数の番組情報を取得する番組情報取得手段と、
複数の番組情報を記憶する番組情報記憶手段と、
視聴者の番組選択情報を記憶する番組選択情報記憶手段と、
番組選択情報に適合する番組情報を検索する検索手段と、
待機動作中に、検索手段により検索された番組情報に基づく情報を報知する報知手段と
を備える受信装置である。
【００１１】
また、この発明は、複数の番組情報を取得する番組情報取得ステップと、
複数の番組情報を記憶する番組情報記憶ステップと、
視聴者の番組選択情報を記憶する番組選択情報記憶ステップと、
番組選択情報に適合する番組情報を検索する検索ステップと、
待機動作中に、検索ステップにおいて検索された番組情報に基づく情報を報知する報知ステップと
からなる番組情報報知方法である。
【００１２】
また、この発明は、コンピュータに、
複数の番組情報を取得する番組情報取得ステップと、
複数の番組情報を記憶する番組情報記憶ステップと、
視聴者の番組選択情報を記憶する番組選択情報記憶ステップと、
番組選択情報に適合する番組情報を検索する検索ステップと、
待機動作中に、検索ステップにおいて検索された番組情報に基づく情報を報知する報知ステップと
を実行させるプログラムである。
【００１３】
また、この発明は、受信装置を遠隔操作する遠隔操作装置であって、
受信装置と通信を行う通信手段と、
通信手段により受信した情報を表示する表示手段とを備え、
通信手段を使用して、受信装置から送信される番組選択情報に適合する番組情報を取得し、受信装置が待機動作中であるときに取得された番組情報に基づく情報を表示手段に表示する遠隔操作装置である。
【発明の効果】
【００１４】
この発明によれば、視聴者がテレビジョン放送番組を視聴していないときに、視聴者の嗜好情報に適合する番組情報を報知できる。従って、従来のように自分の視聴したい番組を探し出す行動や操作を行う必要がなくなる。また、視聴者が番組を視聴していないときに嗜好情報に適合する番組情報を報知することで、視聴者がテレビジョン受信装置をオンし番組を視聴するきっかけを与えることができる。
【発明を実施するための最良の形態】
【００１５】
以下、図面を参照しながらこの発明の複数の実施形態について説明する。これから説明する複数の実施形態においては受信装置の一例としてテレビジョン受信装置を用いて説明する。
【００１６】
図１は、第１の実施形態におけるテレビジョン受信装置１の外観を示す。テレビジョン受信装置１は、メインディスプレイ２と、報知手段の一例としてのサブディスプレイ３とを備える。メインディスプレイ２には、受信された番組が表示される。また、サブディスプレイ３には、番組選択情報の一例である嗜好情報に適合する番組情報に基づく情報が表示される。メインディスプレイ２およびサブディスプレイ３は、例えばＬＣＤ（Liquid Crystal Display）やＣＲＴ(Cathode Ray Tube)等からなる。
【００１７】
図２は第１の実施形態におけるテレビジョン受信装置１の構成を示す。テレビジョン受信装置１は上述したメインディスプレイ２およびサブディスプレイ３に加えてチューナ１１、受信処理部１２、電源制御部１３、リモートコントローラ受信処理部１４、メモリ１５、ＣＰＵ１６、番組情報記憶部１７、嗜好情報記憶部１８、表示時間記憶部１９、計時部２１を含む構成とされる。
【００１８】
図示しないアンテナにより受信された放送波はチューナ１１に供給される。受信した放送波が地上アナログ放送やＢＳ（Broadcasting Satellite）アナログ放送等（以下、適宜、アナログ放送と略す）である場合は、チューナ１１では目的のチャンネルの信号を取り出す処理が行われ、取り出した信号を増幅する処理が行われる。また、受信した放送波がＢＳディジタル放送、ＣＳ（Communication Satellite）ディジタル放送、地上ディジタル放送等（以下、適宜、ディジタル放送と略す）である場合は、チューナ１１では復調処理、エラー訂正処理等の処理が行われ、トランスポートストリーム（以下、適宜、ＴＳと称する）が復元される。チューナ１１において処理が行われた信号は、受信処理部１２に供給される。
【００１９】
受信処理部１２では、チューナ１１から供給された信号に対して所定の信号処理が行われる。アナログ放送の場合は、受信処理部１２では例えば輝度信号、色差信号、音声信号を取り出す処理や同期信号に基づいて映像を構築する処理が行われる。またディジタル放送の場合は、受信処理部１２では例えばＴＳに対してデスクランブル処理が行われる。デスクランブルされたＴＳに対してデマルチプレクス（分離）処理が行われてビデオＰＥＳ(Packetized Elementary Stream)、オーディオＰＥＳ、データ情報に分離される。そして、ビデオＰＥＳやオーディオＰＥＳに対してデコード処理、Ｄ／Ａ(Digital to Analog)処理等が行われる。
【００２０】
受信処理部１２において生成されたビデオ信号は、ＣＰＵ１６による制御によってメインディスプレイ２に表示される。また、オーディオ信号は図示しないスピーカに供給されて再生される。
【００２１】
ＣＰＵ１６は例えばマイクロプロセッサにより実現され、テレビジョン受信装置１の各部の制御を行う。
【００２２】
電源制御部１３は、電源制御線２２を介して処理ブロック４および処理ブロック５に供給される電力の制御を行う。例えば、処理ブロック４には電力を供給し、メインディスプレイ２や、メインディスプレイ２に映像データを表示するための信号処理部（図示しない）からなる処理ブロック５に対する電力の供給を停止する。この処理ブロック４に電力が供給され、処理ブロック５に電力が供給されていない状態を、待機動作の一例であるスタンバイ状態と称する。スタンバイ状態では、処理ブロック５には電力が供給されないためメインディスプレイ２には何も表示されないが、処理ブロック４には電力が供給されているためサブディスプレイ３には情報を表示することができる。
【００２３】
リモートコントローラ受信処理部１４は、遠隔操作装置の一例であるリモートコントロール装置（図示しない）から送出される赤外線信号などの遠隔操作信号を復調する。そして復調処理により電気的な操作信号を生成し、生成された操作信号をＣＰＵ１６に供給する。ＣＰＵ１６は供給された操作信号に応じた制御を実行する。
【００２４】
メモリ１５は、例えばＲＯＭ(Reed Only Memory)とＲＡＭ(Random Access Memory)からなる。ＲＯＭには、例えばＣＰＵ１６が実行するプログラムが格納され、ＲＡＭはＣＰＵ１６がプログラムを実行する際のワークエリアとして使用される。また、メモリ１５のＲＡＭは各種データを一時的に記憶する記憶装置として使用することもできる。
【００２５】
番組情報記憶部１７には、複数の番組情報から構成されるデータ（以下、適宜、電子番組表データと称する）が記憶される。電子番組表データを構成する個々の番組情報は例えば、番組タイトルやジャンル、放送チャンネル、放送開始時刻と放送終了時刻からなる放送時刻、番組の放送総時間などの情報のほか、出演者や番組内容のあらすじなどの副次的な情報を含む。
【００２６】
アナログ放送の場合は、電子番組表データは例えば、放送電波の垂直ブランキング期間内の所定の水平走査期間内に重畳され、１日に所定の時間、所定の回数放送される。テレビジョン受信装置１では、受信処理部１２において放送波に重畳されている電子番組表データを取り出して復調処理を行い、電子番組表データを取得する。取得した電子番組表データを番組情報記憶部１７に記憶する。新たな電子番組表データが受信されたときは、番組情報記憶部１７に記憶されている電子番組表データの内容が更新される。
【００２７】
また、ディジタル放送の場合は、電子番組表データはＳＩ(Service Information)の一つであるＥＩＴ(Event Information Table)セクションに記述される情報として伝送される。テレビジョン受信装置１では、受信処理部１２におけるデマルチプレクス処理によって所定のＳＩからＥＩＴセクションを抽出することで電子番組表データを取得し、取得した電子番組表データを番組情報記憶部１７に記憶する。
【００２８】
なお、電子番組表データは放送波以外から取得することも可能である。例えば、テレビジョン受信装置１に通信インターフェースを設けてインターネットと接続可能とし、インターネット上で配信される電子番組表データをダウンロードして取得するようにしても良い。
【００２９】
嗜好情報記憶部１８は、視聴者の嗜好情報を記憶する。嗜好情報の設定は、例えばメインディスプレイ２に表示されるキーワード登録画面やジャンル登録画面などのユーザインターフェースを使用し、キーワードやジャンルを入力することで行われる。キーワードやジャンルの入力はリモートコントロール装置を使用して行われる。ジャンルについては予めテレビジョン受信装置１に定義されている「映画」、「ドラマ」、「音楽」、「バラエティ」などのジャンルから視聴者の嗜好に適合するジャンルを選択する。また、キーワードについては、例えば芸能人の芸名やアーティスト名などを入力することで設定する。嗜好情報は、設定したキーワードやジャンルを削除したり、新たに追加することで更新される。
【００３０】
表示時間記憶部１９には、視聴者の嗜好情報に適合する番組情報をサブディスプレイ３に表示するタイマー情報が登録される。
【００３１】
計時部２１は、クロック回路等からなり現在の日付（年、月、日）と現在時刻（時、分、秒）を計時する。放送波に含まれる時刻情報を取得することで現在時刻等を計時するようにしても良い。また、計時部２１はタイマー機能を有し、設定された時刻になるとＣＰＵ１６に所定の処理を行うように指示する。
【００３２】
以上説明したような構成を有するテレビジョン受信装置１の表示動作の一例について説明する。表示時間記憶部１９に登録されたタイマーがセットされるとＣＰＵ１６が電源制御部１３から電源状態を取得する。ＣＰＵ１６は電源制御部１３から得られる情報からテレビジョン受信装置１がスタンバイ状態であると判別したときに以下の動作を行う。
【００３３】
ＣＰＵ１６は、番組情報記憶部１７に記憶されている複数の番組情報から、嗜好情報記憶部１８に記憶されている嗜好情報に適合する番組情報を検索する。この検索処理では、例えば設定されたジャンルと同じジャンルの番組情報や設定されたキーワードを含む番組情報が検索される。そして検索された番組情報に含まれる番組の放送時刻を参照して、番組情報に対応する番組が放送前であるか放送中であるか、若しくは放送がすでに終了しているかを判別する。ＣＰＵ１６は放送中の番組の番組情報をサブディスプレイ３に表示する。また、これから放送される番組の場合は、一定の時間の範囲内（例えば５分後や１０分後など）に放送開始される番組の番組情報が選択され、選択された番組情報をサブディスプレイ３に表示する。すでに放送が終了している番組の番組情報は表示しない。
【００３４】
図３は、サブディスプレイ３に表示される番組情報の表示例を示す。図３Ａに示すように、サブディスプレイ３には例えばチャンネル「ＢＳ１０１」、放送時刻と番組タイトル「20:00〜20:30、ニュース」、番組情報に対応する番組が放送前か放送中であるかを示す放送情報「放送前」、適合したキーワード「相撲」が表示される。また、図３Ｂに示すように放送開始時刻までの時刻「あと５分」を表示するようにしても良い。図３Ｃは放送情報が「放送中」であるときの表示例を示す。なお、図３に示すように番組情報の全てを表示せずに一部のみを表示するようにすれば良い。
【００３５】
図４は、サブディスプレイ３に表示される番組情報の他の表示例を示す。図４に示す表示例は、放送状態によってサブディスプレイ３の背景の色を変化させる例である。図４Ａに示すように放送前の番組情報がサブディスプレイ３に表示される。ＣＰＵ１６は計時部２１から得られる現在時刻を監視し、放送開始時刻（図４では20:00）を経過したときに図４Ｂに示すようにしてサブディスプレイ３の背景の色を変化させる制御を行うと共に、放送情報を「放送中」と変化させる。このように放送状態によってサブディスプレイ３の背景の色を変化させることで、番組が放送中であることをより目立つようにして報知できる。
【００３６】
図５は、サブディスプレイ３に表示される番組情報の他の表示例を示す。図５に示す表示例は、適合したジャンルやキーワードの内容によってサブディスプレイ３の背景の色を変化させる例である。図５Ａはジャンル「ニュース」に適合した番組情報を表示しているのに対し、図５Ｂは異なるキーワード「相撲」に適合した番組情報であることからサブディスプレイ３に背景の色が変化して表示されている。ＣＰＵ１６は、適合したジャンルやキーワードによってサブディスプレイ３に表示される背景の色を変化させて番組情報を表示する制御を行う。このように表示することで、視聴者はどのジャンルやキーワードに適合したのかをサブディスプレイ３の背景の色によって識別できる。また、ジャンルやキーワードに優先順位を付加することを可能とし、優先順位に応じてサブディスプレイ３の背景の色を変化させるようにしても良い。
【００３７】
次に、この発明の第２の実施形態について説明する。図６は、第２の実施形態におけるテレビジョン受信装置４１の外観を示す。テレビジョン受信装置４１は、ディスプレイ４２と点灯手段の一例であるＬＥＤ(Light Emitting Diode)４３とを備える。第２の実施形態ではＬＥＤ４３が点灯することで視聴者の嗜好情報に適合する番組情報を報知する。
【００３８】
図７は、第２の実施形態におけるテレビジョン受信装置４１の構成を示す。テレビジョン受信装置４１は第１の実施形態におけるテレビジョン受信装置１と略同様の構成を有する。図７では、図１に示すテレビジョン受信装置１に対応する部分には同一の参照符号を付す。
【００３９】
テレビジョン受信装置４１はディスプレイ４２、ＬＥＤ４３、点灯時間記憶部４５等を含む構成とされる。点灯時間記憶部４５はＬＥＤ４３を点灯させるタイマー情報が登録される。点灯時間記憶部４５に登録されたタイマーがセットされると、ＣＰＵ１６は電源制御部１３から電源状態を取得する。そして、スタンバイ状態であれば番組情報記憶部１７に記憶されている番組情報から、嗜好情報記憶部１８に記憶されている嗜好情報に適合する番組情報を検索する。検索の結果、嗜好情報に適合する番組情報が検索されたときはＬＥＤ４３を点灯させ、嗜好情報に適合する番組情報を報知する。
【００４０】
図８はＬＥＤ４３の表示例を示す。図８に示す表示例は、放送状態によってＬＥＤ４３の色を変化させる例である。ＣＰＵ１６によって検索された番組情報に対応する番組の放送状態を判別し、番組が放送前であれば図８Ａに示すように所定の色（例えば緑色等）でＬＥＤ４３を点灯させる。そして番組の放送が開始されたときには放送中であることを示すため、図８Ｂに示すようにして異なる色（例えば赤色等）でＬＥＤ４３を点灯させる。すでに放送が終了しているときはＬＥＤ４３を点灯させない。
【００４１】
なお、テレビジョン受信装置４１に設けられるＬＥＤはひとつに限らず複数個設けても良い。ＬＥＤを複数個設けることで種々のパターンに応じた表示を行うことができる。図９はテレビジョン受信装置４１に二つのＬＥＤ（ＬＥＤ４６およびＬＥＤ４７）を設けたときの表示例を示す。図９に示す表示例は、適合したキーワードやジャンルによってＬＥＤ４６およびＬＥＤ４７の点灯表示を切り換えること例である。例えば「ニュース」というジャンルに適合した番組情報であるときは図９Ａに示すようにＬＥＤ４６のみを点灯させ、「相撲」というキーワードに適合した番組情報であるときは図９Ｂに示すようにＬＥＤ４７のみを点灯させるようにすることができる。
【００４２】
図１０はこの発明の第３の実施形態の概略を示す。第３の実施形態におけるテレビジョン受信装置５１は、遠隔操作装置の一例であるリモートコントロール装置５５によって遠隔操作される。テレビジョン受信装置５１とリモートコントロール装置５５は例えば赤外線を使用してデータをやり取りする。テレビジョン受信装置５１はディスプレイ５２と、リモートコントロール装置５５に対してデータを送信する発光部５３とリモートコントロール装置５５から送信されるデータを受信するための受光部５４とを備える。
【００４３】
第３の実施形態では、テレビジョン受信装置５１で検索された視聴者の嗜好情報に適合する番組情報がリモートコントロール装置５５に送信され、リモートコントロール装置５５に備えられる表示部５６に表示される。リモートコントロール装置５５の表示部５６に視聴者の嗜好情報に適合する番組情報が表示されることで、視聴者は手元で自身の嗜好情報に適合する番組情報の有無および番組情報の内容を確認できる。なお、受信装置５１からリモートコントロール装置５５に対しては全ての番組情報を送信せずに、番組情報の一部を送信するようにしても良い。このとき表示部５６には番組情報に基づく情報が表示される。
【００４４】
図１１は、テレビジョン受信装置５１の構成を示す。テレビジョン受信装置５１は上述したテレビジョン受信装置１と同様の構成を有する。図１１では、図１に示すテレビジョン受信装置１に対応する部分には同一の参照符号を付す。
【００４５】
テレビジョン受信装置５１はディスプレイ５２、受光部６１、受信処理部６２、発光部６３、送信処理部６４を含む構成とされる。受光部６１は例えばフォトダイオードであり、リモートコントロール装置５５から送信される赤外線を受信し、光−電流変換により電流を発生する。発生した電流は受信処理部６２に供給され、増幅処理、復調処理等の信号処理が行われディジタル信号が生成される。受信処理部６２において生成されたディジタル信号はＣＰＵ１６に供給される。ＣＰＵ１６は供給された信号に応じた処理を実行する。
【００４６】
送信処理部６４は、例えばリモートコントロール装置５５に送信するデータを変調する処理を行い、変調した信号を発光部６３に供給する。発光部６３は例えば赤外発光ダイオードからなり、送信処理部６４において変調された信号をリモートコントロール装置５５に送信する。これらの受光部６１、受信処理部６２、発光部６３、送信処理部６４を一つのＩＣチップ上に集積する構成としても良い。
【００４７】
図１２は、この発明の第３の実施形態におけるリモートコントロール装置５５の構成を示す。リモートコントロール装置５５は、表示部５６、制御部７１、受光部７２、受信処理部７３、発光部７４、送信処理部７５、表示処理部７７、ＲＯＭ７８、ＲＡＭ７９、バス８０を含む構成とされる。
【００４８】
制御部７１は例えばマイクロプロセッサによって実現され、バス８０を介して各部を制御する。また、制御部７１に対しては、リモートコントロール装置５５に設けられるボタン等が操作されることで生成される操作信号が供給される。制御部７１は供給された操作信号に応じた処理を実行する。
【００４９】
受光部７２は例えばフォトダイオードでありテレビジョン受信装置５１から送信される赤外線信号を受信する。赤外線信号を受信した受光部７２では光−電流変換によって電気信号が生成され、受信処理部７３に供給される。受信処理部７３では、増幅処理、復調処理等が行われディジタル信号が生成される。
【００５０】
送信処理部７５はテレビジョン受信装置５１に送信する信号を変調する等の処理を行う。変調された信号は、例えば赤外発光ダイオードからなる発光部７４からテレビジョン受信装置５１に対して送信される。なお、受光部７２、受信処理部７３、発光部７４、送信処理部７５を一つのＩＣチップ上に集積する構成としても良い。
【００５１】
表示部５６は、例えばＬＣＤであり所定の情報の表示を行う。表示処理部７７は表示部５６の構成に応じた処理を行う。表示部５６がＬＣＤパネルである場合は、表示部５６に表示する情報に対応してＬＣＤドライブ回路を制御する処理等を行う。
【００５２】
ＲＯＭ７８には制御部７１が実行するプログラムが格納され、ＲＡＭ７９はＣＰＵ７１がプログラムを実行する際のワークエリアとして使用される。またＲＡＭ７９は、リモートコントロール装置５５が受信したデータや送信するデータを一時的に記憶する記憶部としても使用される。
【００５３】
ここでリモートコントロール装置５５の表示部５６に番組情報を表示する表示動作の一例を説明する。テレビジョン受信装置５１において、表示時間記憶部１９に登録されたタイマーがセットされるとＣＰＵ１６は電源制御部１３から電源状態を取得する。ＣＰＵ１６は電源制御部１３から得られる情報からテレビジョン受信装置５１がスタンバイ状態であると判別したときに以下の動作を行う。
【００５４】
ＣＰＵ１６は、番組情報記憶部１７に記憶されている複数の番組情報から、嗜好情報記憶部１８に記憶されている嗜好情報に適合する番組情報を検索する。この検索処理は、例えば設定されたジャンルと同じジャンルの番組情報や設定されたキーワードを含む番組情報が検索される。そして検索された番組情報に含まれる番組の放送時刻を参照して、番組情報に対応する番組が放送前であるか放送中であるか、若しくは放送がすでに終了しているかを判別する。ＣＰＵ１６は放送中の番組の番組情報と、一定の時間の範囲内（例えば５分後や１０分後など）に放送開始される番組の番組情報のデータを送信処理部６４に供給する。送信処理部６４において、供給された番組情報に対して変調処理等が行われ発光部６３から番組情報がリモートコントロール装置５５に対して送信される。
【００５５】
テレビジョン受信装置５１から送信される番組情報のデータは、リモートコントロール装置５５の受光部７２で受信される。受光部７２において電気的な信号が生成され、生成された電気信号が受信処理部７３に供給される。受信処理部７３において復調された番組情報はＲＡＭ７９に一旦記憶される。制御部７１はＲＡＭ７９に記憶された番組情報を表示処理部７７に供給する制御を実行する。表示処理部７７において所定の処理が行われ、表示部５６に番組情報が表示される。
【００５６】
図１３は、リモートコントロール装置５５の表示部５６に表示される番組情報の一例を示す。図１３に示す例では、リモートコントロール装置５５の表示部５６には、一または複数の番組情報に基づく情報が表示される。表示部５６に表示される番組情報に基づく情報は、例えば放送チャンネル、放送時間、放送番組タイトル、放送状態、適合したジャンルやキーワード等であり、放送番組タイトルのみを表示するようにすることもできる。
【００５７】
リモートコントロール装置５５は、表示部５６以外に十字方向の指示キーと決定ボタンとからなる操作ボタン８１、テレビジョン受信装置５１の電源をオン／オフする電源ボタン８２、テレビジョン受信装置５１の各種設定を行うメニュー画面を表示させるメニューボタン８３、ＥＰＧを表示させるＥＰＧボタン８４、音量調整ボタン８５、チャンネル選択ボタン８６、１〜１２の数字ボタン８７を備える。
【００５８】
リモートコントロール装置５５には番組情報を表示させるだけでなく、操作ボタン８１を使用して番組情報を選択し、選択した番組情報をテレビジョン受信装置５１に送信することもできる。例えば操作ボタン８１の上下方向キーを使用して表示部５６に表示される番組情報をスクロール（または表示の切り替え）を行い、操作ボタン８１の決定ボタンを押すことで所望の番組情報が決定される。決定された番組情報は、テレビジョン受信装置５１へ送信される。テレビジョン受信装置５１は、受光部６１においてリモートコントロール装置５５から送信される番組情報を受信する。
【００５９】
このリモートコントロール装置５５を使用した番組情報を選択する処理の一例を、図１１および図１２を参照してより詳細に説明する。始めにリモートコントロール装置５５の処理を説明する。
【００６０】
制御部７１には、操作ボタン８１を操作したことにより選択された番組情報を示す選択操作信号が供給される。選択操作信号が供給された制御部７１は、ＲＡＭ７９に蓄積されている一または複数の番組情報から選択された番組情報を取得する。そして制御部７１は取得した番組情報を送信処理部７５に供給する制御を行う。送信処理部７５は供給された番組情報を変調し、変調された番組情報は発光部７４を介してテレビジョン受信装置５１に対して送信される。
【００６１】
次に、テレビジョン受信装置５１の処理を説明する。テレビジョン受信装置５１は、リモートコントロール装置５５から送信される番組情報を受光部６１において受信する。受光部６１で受信された番組情報は受信処理部６２において復調され、一旦メモリ１５に記憶される。ＣＰＵ１６は、メモリ１５に記憶された番組情報から放送開始時刻を取得し、計時部２１から得られる時刻情報を参照して番組情報に対応する番組の放送状態を判別する。番組が放送前であるときは、ＣＰＵ１６は計時部２１に番組の放送開始時刻を登録する。番組の放送開始時刻が経過すると、計時部２１のタイマーがセットされ、ＣＰＵ１６は電源制御部１３に指示信号を送出する。指示信号を受けた電源制御部１３は処理ブロック５に対しても電力を供給し、スタンバイ状態を解除する。また、ＣＰＵ１６はチューナ１１を番組情報に対応するチャンネルの選局を行うように制御する。そして選局されたチャンネルの映像をディスプレイ５２に表示する。
【００６２】
リモートコントロール装置５５から送信される番組情報に対応する番組が既に放送中である場合は、ＣＰＵ１６は電源制御部１３を処理ブロック５に電力が供給されるように制御すると共に、チューナ１１を番組情報に対応するチャンネルの選局を行うように制御する。そして選局されたチャンネルの番組をディスプレイ５２に表示する。
【００６３】
このように視聴者は、手元のリモートコントロール装置によって自身の嗜好情報に適合する番組情報を確認でき、さらに選択した番組情報に対応する番組をテレビジョン受信装置に表示できる。また、表示部５６に表示される番組情報を選択することで自動的に選局されるので表示部５６に放送チャンネルを表示する必要がなくなる。従って表示部５６の表示スペースを有効に活用できる。さらに、リモートコントロール装置に番組情報を表示することで部屋の何処でも番組情報の有無や内容を確認できる。
【００６４】
図１４は、この発明の第１の実施形態におけるテレビジョン受信装置１により行われる番組情報を検索する処理の流れを示すフローチャートである。以下、説明する処理はハードウェア的に実現されても良いし、プログラムを利用してソフトウェア的に実現されても良い。
【００６５】
ステップＳ１では、番組情報を検索する時間であるか否かが判別される。番組情報を検索する時間は、例えば計時部２１に登録される。番組情報を検索する時間でなければ再び処理がステップＳ１に戻り、番組情報を検索する時間であるか否かが判別される。
【００６６】
ステップＳ１において番組情報を検索する時間であるときは、処理がステップＳ２に進む。ステップＳ２では視聴者の嗜好情報に適合する番組情報を検索する。例えば、計時部２１のタイマーがセットされＣＰＵ１６が番組情報を検索する。ＣＰＵ１６は嗜好情報記憶部１８に記憶された嗜好情報に適合する番組情報を、番組情報記憶部１７に記憶された複数の番組情報から検索する。
【００６７】
続いて処理がステップＳ３に進む。ステップＳ３では、嗜好情報に適合する番組情報が検索されたか否かが判別される。嗜好情報に適合する番組が情報ないときは、サブディスプレイ３に表示する番組情報がないため処理がステップＳ７に進み、次の検索時間を登録する。
【００６８】
ステップＳ３において嗜好情報に適合する番組情報がある場合は、処理がステップＳ４に進む。ステップＳ４では嗜好情報に適合する番組情報を取得する。また、取得した番組情報に含まれる放送時刻を検索して取得する。そして取得した番組情報を、例えばメモリ１５に記憶する。続いて処理がステップＳ５に進む。
【００６９】
ステップＳ５では、嗜好情報に適合する番組情報をサブディスプレイ３に表示する時刻（以下、適宜、表示時刻と称する）が登録されているか否かが判別される。登録されていない場合は、処理がステップＳ６に進む。ステップＳ６では、メモリ１５に記憶された番組情報をサブディスプレイ３に表示する時刻を登録する。例えば計時部２１から得られる時刻情報の３０分後や１時間後の時刻をサブディスプレイ３に表示する時刻として表示時間記憶部１９に登録する。
【００７０】
ステップＳ５において番組情報をサブディスプレイ３に表示する時刻が登録されているときは、処理がステップＳ７に進み次の検索処理を行う時間が登録される。上述した嗜好情報に適合する番組情報を検索する処理は、例えば３０分毎、１時間毎のように周期的に行うようにしても良い。
【００７１】
図１５は、テレビジョン受信装置１によるサブディスプレイ３に番組情報を表示する処理の流れを示すフローチャートである。
【００７２】
ステップＳ１１では、番組情報をサブディスプレイ３に表示する表示時刻が経過したか否かが判別される。表示時刻記憶部１９に登録された表示時刻が経過していない場合は、再び処理がステップＳ１１に戻り表示時刻を経過したか否かの判別が行われる。表示時刻を経過したときは処理がステップＳ１２に進む。
【００７３】
ステップＳ１２では、電源状態を取得する処理が行われる。表示時刻記憶部１９に登録された表示時刻が経過することでタイマーがセットされ、ＣＰＵ１６は電源制御部１３から電源状態を取得する。電源状態を取得した後に、処理がステップＳ１３に進む。
【００７４】
ステップＳ１３では、取得した電源状態からテレビジョン受信装置１がスタンバイ状態か否かを判別する。ステップＳ１３において、スタンバイ状態でないときは処理がステップＳ１６に進む。スタンバイ状態でないときはサブディスプレイ３に番組情報を表示しないため、ステップＳ１６では次にサブディスプレイ３に番組情報を表示する表示時刻を登録する。
【００７５】
ステップＳ１３において、テレビジョン受信装置１がスタンバイ状態であると判別されたときは処理がステップＳ１４に進む。ステップＳ１４では、ＣＰＵ１６がメモリ１５に記憶されている番組情報の放送時刻を取得する。放送時刻を取得すると処理がステップＳ１５に進む。
【００７６】
ステップＳ１５では、取得した放送時刻と、サブディスプレイ３に番組情報を表示する表示時刻を比較する。ステップＳ１５において、放送終了時刻が表示時刻より前であるときは、番組の放送がすでに終了しておりサブディスプレイ３に番組情報を表示する必要がない。従って、処理がステップＳ１８に進み終了処理が行われる。そして、再び図１４を用いて説明した番組情報を検索する処理が行われる。
【００７７】
またステップＳ１５では、番組情報の放送開始時刻を使用して表示時刻と比較する。例えば、放送開始時刻が表示時刻の（Ｍ分）前より前であるか否かを判別する。（Ｍ分）は例えば５分や１０分であり、任意に設定できるようにしても良い。サブディスプレイ３に放送開始時刻が１時間以上前の番組情報が表示されても、それまで視聴者はその番組情報を記憶しておかなければならない。従って、サブディスプレイ３には、放送開始まで所定の時間の範囲内の番組情報を表示することが望ましい。
【００７８】
ステップＳ１５において、番組情報から取得された放送開始時刻がサブディスプレイ３の表示時刻の（Ｍ分）前より前であるときは処理がステップＳ１６に進む。ステップＳ１６では、表示時刻の近辺に放送が開始される番組がないことからサブディスプレイ３に番組情報を表示せずに、次にサブディスプレイ３を表示する時間を登録する。
【００７９】
ステップＳ１５において、放送開始時刻が表示時刻より（Ｍ分）前より後であるときは、番組情報に対応する番組が放送前若しくは放送中であるかを判別する。例えばＭ分が５分であり、放送開始時刻が表示時刻の３分前であるときは放送前と判別する。また、表示時刻が放送開始時刻と放送終了時刻の間であれば放送中と判別する。そして処理がステップＳ１７に進み、放送前若しくは放送中であるかを示す情報と番組情報とがサブディスプレイ３に表示される。
【００８０】
なお、メモリ１５に複数の番組情報が記憶されているときは、それぞれの番組情報に対して上述した処理が行われる。
【００８１】
以上、この発明の一実施形態について具体的に説明したが、この発明は、上述の一実施形態に限定されるものではなく、この発明の技術的思想に基づく各種の変形が可能である。視聴者に対して、視聴者の嗜好情報に適合する番組情報を報知する手段は、上述したサブディスプレイやＬＥＤ以外に音声や電球を使用しても良い。また、第２の実施形態において説明したＬＥＤをリモートコントロール装置に設ける構成としても良い。
【００８２】
上述した複数の実施形態においては、番組選択情報として嗜好情報を用いて説明したが、視聴履歴などの他の情報でも良い。例えば視聴履歴を参照し、より多く視聴されている番組のジャンルと同じジャンルの番組情報を検索するようにしてもよい。
【００８３】
テレビジョン受信装置に録画機能を備えるようにして、サブディスプレイやリモートコントロール装置の表示部に未再生の録画済番組の番組情報を表示するようにしても良い。
【００８４】
テレビジョン受信装置とリモートコントロール装置との通信は、赤外線通信以外でも良い。例えば、ＩＥＥＥ（Institute of Electrical and Electronics Engineers）１０２．１１に準拠した通信方式やＢｌｕｅｔｏｏｔｈ（登録商標）による無線接続方式を利用することも可能である。
【図面の簡単な説明】
【００８５】
【図１】この発明の第１の実施形態におけるテレビジョン受信装置の外観図である。
【図２】この発明の第１の実施形態におけるテレビジョン受信装置の構成を示すブロック図である。
【図３】サブディスプレイに表示される番組情報の表示例を示す略線図である。
【図４】サブディスプレイに表示される番組情報の他の表示例を示す略線図である。
【図５】サブディスプレイに表示される番組情報の他の表示例を示す略線図である。
【図６】この発明の第２の実施形態におけるテレビジョン受信装置の外観図である。
【図７】この発明の第２の実施形態におけるテレビジョン受信装置の構成を示すブロック図である。
【図８】ＬＥＤの表示例を示す略線図である。
【図９】ＬＥＤの他の表示例を示す略線図である。
【図１０】この発明の第３の実施形態におけるテレビジョン受信装置およびリモートコントロール装置の外観図である。
【図１１】この発明の第３の実施形態におけるテレビジョン受信装置の構成を示すブロック図である。
【図１２】この発明の第３の実施形態におけるリモートコントロール装置の構成を示すブロック図である。
【図１３】リモートコントロール装置の表示部に表示される番組情報の表示例を示す略線図である。
【図１４】嗜好情報に適合する番組情報を検索する処理の一例の流れを示すフローチャートである。
【図１５】サブディスプレイに検索された番組情報を表示する処理の一例の流れを示すフローチャートである。
【符号の説明】
【００８６】
１          テレビジョン受信装置
２          メインディスプレイ
３          サブディスプレイ
１２        受信処理部
１３        電源制御部
１５        メモリ
１６        ＣＰＵ
１７        番組情報記憶部
１８        嗜好情報記憶部
１９        表示時間記憶部
２１        計時部
４１        テレビジョン受信装置
４３        ＬＥＤ
５１        テレビジョン受信装置
５５        リモートコントロール装置
５６        表示部
６１、７２  受光部
６２、７３  受信処理部
６３、７４  発光部
６４、７５  送信処理部
８１        操作ボタン
【図１】
2007053518.tif 000003
【図２】
2007053518.tif 000004
【図３】
2007053518.tif 000005
【図４】
2007053518.tif 000006
【図５】
2007053518.tif 000007
【図６】
2007053518.tif 000008
【図７】
2007053518.tif 000009
【図８】
2007053518.tif 000010
【図９】
2007053518.tif 000011
【図１０】
2007053518.tif 000012
【図１１】
2007053518.tif 000013
【図１２】
2007053518.tif 000014
【図１３】
2007053518.tif 000015
【図１４】
2007053518.tif 000016
【図１５】
2007053518.tif 000017